(57)【要約】本発明は、丸みを帯びた把持先端部を有する鉗子に関する。丸みを帯びた先端部は、ドライアイ疾患および眼の炎症の治療のために眼の表面上に挿入する際に羊膜を穿刺することを回避し、眼の表面から羊膜を除去する際に結膜を損傷することを回避するように構成される。鉗子は、その遠位端に把持先端部を有し、把持先端部の一方は、その内面に切り欠き部を有する。切り欠き部の寸法は、眼科医が羊膜インサートのリップをしっかりと安全に把持して、眼の表面へのより良い挿入および眼の表面からの除去を可能にするように構成されている。
2021536325.tif 000002
【特許請求の範囲】
【請求項１】
鉗子であって、
第１のアームであって、同第１のアームの遠位端に隣接する第１の把持先端部を含み、同第１の把持先端部の内面に沿って配置された切り欠き部をさらに含む第１のアームと、
第２のアームであって、同第２のアームの遠位端に隣接する第２の把持先端部を含む第２のアームと、を含み、
前記第１のアームおよび前記第２のアームは、近位端で連結されており、かつ
前記第２の把持先端部の内面は切り欠き部を欠いている、鉗子。
【請求項２】
前記第２のアームは、前記第１のアームと同じ長さを有する、請求項１に記載の鉗子。
【請求項３】
前記切り欠き部は、前記第１の把持先端部の幅を横切る、請求項１に記載の鉗子。
【請求項４】
前記切り欠き部は、丸いまたは半円形の形状である、請求項１に記載の鉗子。
【請求項５】
前記切り欠き部は、前記第１の把持先端部の遠位端に隣接して配置されている、請求項１に記載の鉗子。
【請求項６】
前記第１の把持先端部および前記第２の把持先端部がそれらの遠位端で湾曲している、請求項１に記載の鉗子。
【請求項７】
前記第１のアームおよび第２のアームの遠位端は、前記鉗子の水平軸から下方に湾曲している、請求項６に記載の鉗子。
【請求項８】
前記第２の把持先端部の内面は、複数の溝付きの横断滑り止め要素を有する、請求項１に記載の鉗子。
【請求項９】
前記第１の把持先端部の内面は、複数の溝付きの横断滑り止め要素を有し、前記切り欠き部は、前記第１の把持先端部の遠位端と前記複数の横断滑り止め要素との間に配置される、請求項５に記載の鉗子。
【請求項１０】
前記切り欠き部の幅は、羊膜インサートの縁部を保持するように構成される、請求項８に記載の鉗子。
【請求項１１】
前記羊膜インサートの縁部が、前記第１の把持先端部の前記切り欠き部と前記第２の把持先端部の前記溝付きの横断滑り止め要素との間の位置にロックされる、請求項１０に記載の鉗子。
【請求項１２】
前記羊膜インサートは眼の表面に配置するように構成されている、請求項１１に記載の鉗子。
【請求項１３】
前記第１のアームおよび前記第２のアームは、それらの対応する近位端と遠位端との間に中間部分をさらに含み、前記中間部分の外面は、複数の滑り止め要素を含む把持部分を有する、請求項１に記載の鉗子。
【請求項１４】
前記第１および前記第２の把持先端部のための保護カバーをさらに備える、請求項１に記載の鉗子。
【請求項１５】
凍結保存された羊膜インサートを患者の眼から除去するための方法であって、前記羊膜インサートは、羊膜に当接する内側リングと、前記内側リングに当接する外側リングとを含むコンフォーマーリングセットに固定された羊膜を含み、前記方法は、
一対の眼科用鉗子であって、前記鉗子が、
第１のアームであって、同第１のアームの遠位端に隣接する第１の把持先端部を含み、同第１の把持先端部の内面に沿って配置された切り欠き部をさらに含む第１のアームと、
第２のアームであって、同第２のアームの遠位端に隣接する第２の把持先端部を含む第２のアームと、前記第１のアームおよび前記第２のアームは、近位端で連結されていることと、前記第２の把持先端部の内面は切り欠き部を欠いていることと、を含む、一対の眼科用鉗子を提供することと、
前記第１の把持先端部の前記切り欠き部内に前記内側リングの縁部を保持することと、
前記第１の把持先端部と前記第２の把持先端部とを互いに近づけるように前記第１のアームと前記第２のアームとを手で締め付けることと、
を含み、
前記内側リングは、前記切り欠き部と前記第２の把持先端部の内面に構成されている複数の溝付きの横断滑り止め要素との間に確実に保持される、方法。
【請求項１６】
前記羊膜をその内側リングから持ち上げて、それにより前記鉗子と角膜との間の接触を回避することをさらに含む、請求項１５に記載の方法。
【請求項１７】
前記羊膜インサートを除去する前に、前記眼に局所麻酔薬の一滴を点眼することをさらに含む、請求項１５に記載の方法。
【発明の詳細な説明】
【技術分野】
【０００１】
本発明は、一般に、羊膜を把持するための外科用器具、より具体的には、眼科医が使用するための鉗子に関する。
【背景技術】
【０００２】
眼は涙を分泌して、潤いを保っている。涙は、眼の表面の健康を維持し、鮮明な視力を得るために必要である。涙には、潤滑作用があり、眼の感染症のリスクを減らし、眼内の異物を洗い流し、眼の表面を滑らかで透明に保つ働きがある。眼に入った過剰な涙は、眼瞼の内側の隅にある小さな排出管に流れ込み、そこから副鼻腔の奥へと流れていく。しかしながら、眼が十分な量の涙を作れなかったり、何らかの原因で涙液層の１つまたは複数の層が影響を受けたりすると、ドライアイになってしまうことがある。
【０００３】
色素眼症候群またはドライアイ障害（ＤＥＤ）は眼の表面の一般的な疾患である。ＤＥＤは人口のかなりの割合に影響を及ぼしている。その症状には、眼の不快感および視覚の揺らぎがある。眼の炎症はＤＥＤの共通の要因である。これは、結果として角膜上皮とその下の構造にさらなる損傷を与えることになる。ステロイドやシクロスポリンなどの様々な治療法が炎症を抑えるために用いられている。しかしながら、結果にはばらつきがあり、難治性の場合もある。このような場合、ＤＥＤは生活の質に負の影響を与えるだけでなく、医療経済的な負担も増加させることになる。
【０００４】
ＤＥＤの病態解明が進み、さまざまな治療法が導入されてきた。最近では、凍結保存された羊膜が眼表面の病変を伴うＤＥＤの治療に用いられている。羊膜（ＡＭ）は、胎盤（羊膜）の最も内側を覆っている膜である。ＡＭは中等度および重度のＤＥＤ患者の角膜表面の健康の回復を促進する。ＤＥＤ治療におけるＡＭの治療効果は、複数の作用機序に起因する可能性がある。例えば、ＡＭは、涙を保持することによって眼球の潤いを保ち、周囲の環境から眼の表面を保護する治療用包帯としての役割を果たす。加えて、ＤＥＤの発症と慢性化には、自然免疫反応と適応免疫反応の両方によって引き起こされる炎症が重要であることが知られているため、ＡＭは眼の表面の炎症をコントロールする。
【発明の概要】
【発明が解決しようとする課題】
【０００５】
現在、ＡＭは、指または従来の鉗子を用いて眼に挿入され、結膜下腔に運ばれ、そこで均等に配置される。しかしながら、ＡＭは通常、綿棒または歯のない滑らかな従来の鉗子を用いて眼から取り除かれている。ＡＭを従来の鉗子で把持すると、鉗子の遠位端が眼の外表面を覆っている眼球結膜を傷つける可能性がある。このため、眼表面を覆うＡＭを確実かつ簡便に挿入除去することができる鉗子が必要となる。
【課題を解決するための手段】
【０００６】
本発明は、眼の表面上への挿入時に羊膜を穿刺しないように構成された丸い把持先端部を有する鉗子に関する。ドライアイおよびその他の角膜疾患により眼の炎症を治療する期間がある場合、眼球表面から羊膜を除去する際に結膜を傷つけないように鉗子を使用する。鉗子の一方の側には、先端部の内側表面に切り欠きのある領域がある。切り欠きのある表面は、より良好に取り除くために、眼科医が羊膜のリップを確実かつ安全に把持することができるように構成されている。もう一方の側には、ＡＭを所定の位置にロックして滑りを防ぐための溝がある。
【０００７】
本発明の一実施形態は、鉗子を含み、同鉗子は、近位端と；遠位端と；第１のアームと；第１のアームと同じ長さを有する第２のアームと、第１のアームおよび第２のアームは近位端で連結され、かつ鈍く丸い遠位端を有することと；第１のアームの近位端と遠位端との間に配置された第１の把持部および第２のアームの近位端と遠位端との間に配置された第２の把持部と；第１のアームの遠位端に隣接する第１の把持先端部および第２のアームの遠位端に隣接する第２の把持先端部と；第１の把持先端部の内側部分は、羊膜（インサート）の縁部を把持するための切り欠き部を含むことと、を備える。
【０００８】
本発明の別の実施形態は眼科用鉗子を含み、同眼科用鉗子は、第１のアームと；第１のアームと同じ長さおよび幅を有する第２のアームと；第１のアームおよび第２のアームは近位端で連結され、かつ近位端から遠位端へと向かうにつれて細くなっている（ｎａｒｒｏｗ）ことと；第１のアームおよび第２のアームの両方の鈍く丸い遠位端と；第１のアームの遠位端に隣接する第１の把持先端部および第２のアームの遠位端に隣接する第２の把持先端部と、第１の把持先端部および第２の把持先端部の遠位端は、鉗子の水平軸から下方に湾曲していることと；第１の把持先端部の内側部分は、羊膜（インサート）の縁部を把持するような大きさの切り欠き部を有することと、を備える。
【０００９】
本発明のさらに別の実施形態は、眼の表面から凍結保存された羊膜インサートを除去するための方法であって、（ａ）眼の眼球表面上に羊膜インサートを配置した状態の眼に麻酔薬を一滴入れて瞬目反射を減少させることと、（ｂ）鉗子であって、近位端で連結された同じ長さおよび幅を有する第１のアームおよび第２のアームと、第１のアームの遠位端に隣接する第１の把持先端部と、第２のアームの遠位端に隣接する第２の把持先端部と、第１の把持先端部および第２の把持先端部の遠位端は鉗子の水平軸から下方に湾曲することと、第１の把持先端部および第２の把持先端部の鈍い丸い遠位端と、羊膜インサートの縁部を把持するように寸法決めされた切り欠き部を有する第１の把持先端部の内側部分と、を備える鉗子を提供することと、（ｃ）下眼瞼を下方に引っ張り、羊膜インサートの一部を露出させることと、（ｄ）第１の把持先端部の切り欠き部内にＡＭの内側リング（ｉｎｎｅｒ  ｒｉｎｇ）を保持することと、（ｅ）第１のアームおよび第２のアームを手で締め付けて、第１の把持先端部および第２の把持先端部を互いに近づけ、これにより、ＡＭを切り欠き部および対向する把持先端部上の溝付きの反横断要素（ａｎｔｉ−ｔｒａｎｓｖｅｒｓａｌ  ｅｌｅｍｅｎｔｓ）内の位置にロックして滑りを回避することと、（ｅ）角膜を傷つけることなく内側リングによって羊膜インサートを穏やかに除去することと、を含む方法を含む。
【００１０】
開示された概念および特定の実施形態が、本発明と同じ目的を実行するために構造を修正または再設計するための基礎として容易に利用され得ることは当業者には明らかであろう。そのような同等の構造は、添付の特許請求の範囲に記載されている本発明の精神および範囲から逸脱しないことを当業者であれば理解できるはずである。
【図面の簡単な説明】
【００１１】
【図１】本発明の鉗子の例示的な実施形態の上面図である。
【図２】本発明の一実施形態による、内面に切り欠き部を有する鉗子の把持先端部を示す側面図である。
【図３】本発明の別の実施形態による、内面に切り欠き部を有する鉗子の把持先端部を示す側面図である。
【図４】鈍い丸い先端部を有する湾曲した把持先端部を備えた本発明の鉗子のさらに別の実施形態の側面図である。
【図５】図４に示される鉗子の第１の把持先端部の内面の一実施形態の側面図である。
【図６】図４に示される鉗子の第２の把持先端部の内面の一実施形態の側面図である。
【図７】羊膜インサートの斜視図である。
【図８】図７の羊膜インサートを把持した状態の図４に示されている鉗子を示す。
【発明を実施するための形態】
【００１２】
本発明およびその利点をより完全に理解するために、添付の図面と併せて以下の説明を参照する。
開示された実施形態は、本発明の単なる例示であり、様々な形態で具体化され得ることが理解されるべきである。したがって、本明細書に開示される特定の構造的および機能的詳細は、限定的であると解釈されるべきではなく、任意の適切に詳細な構造で本発明を様々に使用することを当業者に教えるための代表的な基礎として単に解釈されるべきである。
【００１３】
同様の参照文字は、図面全体で同様または類似の部分を示すことが指摘されている。図または図面は、縮尺どおりであることが意図されていない。例えば、純粋に図面をより明確にするために、構成要素のサイズおよび間隔は、組み立てられた実施形態のいずれかに実際に存在するので、寸法が定められていない。
【００１４】
本発明は、一般に、羊膜を把持するための外科用器具、より具体的には、眼科医が使用するための鉗子に関する。本明細書で使用される場合、羊膜またはＡＭという用語は、限定されるものではないが、羊膜、羊膜インサート、生体組織およびインプラントを含む。羊膜は、ＰＲＯＫＥＲＡ（登録商標）のような凍結保存された羊膜であってもよい。
【００１５】
図１を参照して、近位端１０２および遠位端１０４を有する鉗子１００の例示的な実施形態を以下に記載する。鉗子１００は、近位端１０２で連結された一対のアーム１０６、１０８を備える。アーム１０６、１０８は、同じ長さおよび幅である。アームのそれぞれは、遠位端１０４の近くに把持先端部１１０、１１２を含む。アーム１０６、１０８のそれぞれの中間部分１１４、１１６の外面／上面（ｅｘｔｅｒｉｏｒ／ｕｐｐｅｒ  ｓｕｒｆａｃｅ）は、複数の溝付きの横断滑り止め要素（ｇｒｏｏｖｅｄ  ｔｒａｎｓｖｅｒｓａｌ  ａｎｔｉ−ｓｌｉｐ  ｅｌｅｍｅｎｔｓ）を備えている。本明細書で使用される場合、「溝付きの横断反要素（ｇｒｏｏｖｅｄ  ｔｒａｎｓｖｅｒｓａｌ  ａｎｔｉ−ｅｌｅｍｅｎｔｓ）」という用語は、滑り止め要素のいずれかの側に位置する溝を意味する。中間部分１１４、１１６は、近位端と遠位端との間に配置されている。滑り止め要素には、隆起（ｒｉｄｇｅｓ）、ひだ（ｃｏｒｒｕｇａｔｉｏｎｓ）、または鋸歯状突起（ｓｅｒｒａｔｉｏｎｓ）を含めることができる。滑り止め要素は、鉗子１００の滑らか（ｓｍｏｏｔｈ）で滑りにくい把持を助ける。アーム１０６、１０８は、結合セクション１１７で結合されている。しかしながら、別の実施形態（図示せず）では、中間部分は滑らかであってもよい。中間部分１１４、１１６を把持および締め付けて、アーム１０６、１０８を互いに近づけることができる。任意選択で、アーム１０６、１０８は、同アームが中間部分１１４、１１６から遠位端１０４へと向かうにつれて細くなっていてもよい。
【００１６】
把持先端部１１０、１１２は、実質的に丸みを帯びた端部を有する。丸みを帯びた端部は鈍くなっており（ｂｌｕｎｔｅｄ）、外科手術中に角膜を損傷しないようにすることができる。把持先端部１１０の底面／内面は、切り欠き部１１８を含む。切り欠き部１１８は、遠位端１０４の近位に位置する。本明細書で使用される場合、「切り欠き部（ｎｏｔｃｈ）」という用語は、鉗子の内面上のノッチ、凹部、溝または切り欠き部分を含むがこれらに限定されない。対向する把持先端部１１２の内面は、切り欠き部を欠いている、すなわち、いかなる切り欠き部も含んでいない。
【００１７】
切り欠き部１１８の拡大図が図２に示されている。切り欠き部１１８は、医師が羊膜の縁部を容易かつ確実に把持することを可能にし、効率的で損傷のない操作を可能にする。切り欠き部１１８は、典型的には、鉗子で除去または操作されることが望まれる羊膜の縁部に合うように選択された同切り欠き部の高さおよび幅を備え、かつ丸みを帯びている。切り欠き部１１８は、把持先端部の全幅を横切り、丸いまたは半円形の形状である。
【００１８】
図３は、把持先端部の内面の構成を除いて、図１に示したものと同様の鉗子を示している。図３に示す鉗子の実施形態は、把持先端部１１３の内面１２５を有し、この把持先端部１１３の内面１２５は、隆起、ひだ、または鋸歯状突起を含む複数の溝付きの横断滑り止め要素を備えている。把持先端部１１５の内面１２７は、遠位端１２４の近位に切り欠き部１３０を備えていることを除いて同様である。
【００１９】
鉗子の別の実施形態が図４〜６に示されている。鉗子２００は、近位端２０２および遠位端２０４を有する。鉗子２００は、近位端２０２で連結された一対のアーム２０６、２０８を含む。アーム２０６、２０８は、同じ長さおよび幅である。各アームは、遠位端２０４に、鈍い丸い先端部を有する。
【００２０】
アーム２０６、２０８は、一般に、鉗子１００について説明したものと同様の把持部を有し、近位端２０２の近くでアームを結合することによって一体の部材として形成される。アーム２０６、２０８のそれぞれの中間部分の外面／上面は、複数の溝付きの横断滑り止め要素を備えている。中間部分は、近位端と遠位端との間に位置する。滑り止め要素には、隆起、ひだ、または鋸歯状突起を含めることができる。滑り止め要素は、鉗子２００の滑らかで滑りにくい把持を助ける。しかしながら、別の実施形態（図示せず）において、把持部分を滑らかにすることができる。アーム２０６、２０８は、近位端に隣接する結合セクションで結合されている。アームは、中間部分から遠位端に向かうにつれて細くなっていてもよい。
【００２１】
鉗子２００は、図４に示されるように、アームの遠位部分の構成を除いて、図１の鉗子１００と同様である。図示されるように、アームの遠位端２２０は、鉗子の水平軸から下方に湾曲している。それらの遠位先端部２２０におけるアームの湾曲角度２１５は、典型的には１０°〜６０°である。第１の把持先端部および第２の把持先端部２１０、２１２は、把持先端部１１０、１１２と同様に、外科処置中の損傷のリスクを低減するために、実質的に丸い端部を有する。
【００２２】
把持先端部２１０、２１２の内部／内側表面２２２、２２６は、一般に、隆起、ひだ、または鋸歯状突起を含む複数の溝付きの横断滑り止め要素を備える。第１の把持先端部２１０の内部／内側表面２２２は、遠位端２０４の近位に切り欠き領域／切り欠き部２１８を含む。切り欠き部２１８は、切り欠き部１１８および１３０に類似している。切り欠き領域２１８は、特定の処置中に保持または操作される特定の羊膜の縁部に適合するように設計される。第２の把持先端部２１２は、複数の溝付きの横断滑り止め要素を有する。羊膜は、切り欠き領域２１８と第２の把持先端部２１２上の溝付きの横断滑り止め要素との間の所定の位置に確実にロックされ得る。切り欠き領域２１８は、深さおよび幅を変更してもよい。切り欠き部２１８の一実施形態は、アーム２１０の幅全体を横断し、形状が円形または半円状である。切り欠き部１１８、１３０、２１８の寸法は、羊膜を確実に保持するその能力を最適化するように選択される。切り欠き部２１８の内面は滑らかであってもよい。しかしながら、切り欠き部の内面は、１つ以上の滑り止め要素を含むこともできる。
【００２３】
本発明の鉗子は、好ましくは、ステンレス鋼、白金または他の外科グレードの材料または合金のような、弾力性のある耐食性材料で構成される。鉗子は、いずれかの手の指の間に便利に保持されるように構成される。鉗子の長さは１４０ｍｍ〜１６５ｍｍである。切り欠き部は、０．１ｍｍ〜５ｍｍの内径を有することができる。一実施形態において、切り欠き部の内径は０．８ｍｍ〜１．８ｍｍである。
【００２４】
一実施形態において、鉗子の丸い先端部は、保護カバー（図示せず）内に封入されていてもよい。カバーは、通気口または開口部を含むことができる。
本発明の別の実施形態は、本明細書に開示する本発明の鉗子を含むキットに関する。キットはまた、１つ以上の保護用先端部カバーおよび鉗子を使用するための説明書を含むことができる。
【００２５】
一実施形態によれば、鉗子２００は、損傷した眼の表面の治療に使用することができる。治療は、ＰＲＯＫＥＲＡ（登録商標）などの凍結保存された羊膜インサート７００の使用を伴っていてもよい。図７に示すように、羊膜インサート７００は、コンフォーマーリング（ｃｏｎｆｏｒｍｅｒ  ｒｉｎｇｓ）（内側リング７２０および外側リング７３０のセット）内に配置された羊膜片７１０を含む。内側リング７２０は、外縁部７２５を含む。縁部７２５は、第１の把持先端部の切り欠き部内に保持され、第２の把持先端部の溝付きの横断滑り止め要素によって鉗子内の位置にロックされ得る。リングは、柔軟なエラストマー材料で作製することができる。
【００２６】
従来、羊膜インサート７００は、指先を使用して眼に配置されるものであった。しかしながら、例示的な実施形態では、鉗子２００を使用して、羊膜インサート７００を眼の表面に配置することができる。有利なことに、鉗子２００はまた、医師が羊膜インサートを穿刺／損傷することなくしっかりと把持することを可能にする。方法は、局所麻酔薬を点眼して眼を麻痺させ、患者にとってより快適な処置にすることを含む。羊膜インサート７００をそのカバーから取り出して、生理食塩水ですすぐ。眼科医は、鉗子２００を用いて、把持先端部２１０、２１２で内側リング７２０を把持する。次に、眼科医は患者の上眼瞼を持ち上げて、患者に下方を見るように求める。羊膜の一部を上結膜円蓋上に配置する。これに続いて、鉗子２００の鈍く、かつ丸い端部を使用して、羊膜７００の上部を上眼瞼の下に押し込む。最後に、羊膜の下部を下眼瞼の下に押し込む。
【００２７】
羊膜７１０は、典型的には、数日以内に、全体が、または部分的に溶解される。羊膜は目の治癒を促進する。コンフォーマーリングおよび残存する羊膜は眼表面から除去され得る。従来、羊膜インサート７００は、指または鉗子を用いて除去される。従来の鉗子は、羊膜インサートを外側リングまたは下縁から持ち上げることによって治療用インサートを除去するように設計された鈍い鉗子である。外側リングの内面が角膜に接触するため、従来の鉗子または器具を使用する現在の除去方法に一般的に付随する問題は、鉗子の遠位端が誤って患者の角膜を傷つけてしまい、眼の外側表面を覆っている眼球結膜に損傷または他の損傷を引き起こすことであった。
【００２８】
本発明の鉗子は、角膜にそのような損傷を引き起こすことを回避する。一実施形態によれば、図８に示すように、鉗子２００を使用して羊膜インサート７００を除去することができる。
【００２９】
方法は、患者にとって除去手順をより快適にするために眼に麻酔薬の一滴を滴下することを含む。例えば、眼科医が鉗子２００を用いて眼に近づいたとき、麻酔薬は患者の瞬目反射を低減させることができる。眼科医は下眼瞼を下方に引き、羊膜インサート７００の一部を露出させることができる。把持先端部２１２は、内側リング７２０の内縁上に配置され、把持先端部２１０は、内側リング７２０の縁部７２５に向かって移動される。鉗子２００は、切り欠き部（２１８）が縁部７２５によって内側リングを保持できるように、互いに向かって締め付けることができる。内側リングは、鉗子内の位置で、第１の把持先端部上の切り欠き部と第２の把持先端部の溝付きの横断滑り止め要素との間にロックされる。次いで、羊膜インサート７００は、図９に示すように、その上縁（又は内側リング）から穏やかに除去され得る。これは、羊膜インサート７００をその下縁（または外側リング）から除去することを含む従来の方法とは相反する。有利なことに、羊膜インサートは、角膜に触れることなく除去することができる。内側リング７２０の縁部７２５が外側リング７３０の上面より上方に持ち上げられるので、鉗子は内側リングを把持して角膜に触れることなく羊膜インサート７００を除去することができる。
【００３０】
本明細書では、第１、第２、内側、外側などの用語が様々な表面などを説明するために使用されているが、これらの表面はこれらの用語によって限定されるべきではないことが理解される。これらの用語は、ある表面を別の表面から区別するためにのみ使用される。
【００３１】
開示された概念および特定の実施形態が、本発明と同じ目的を実行するために構造を修正または再設計するための基礎として容易に利用され得ることは当業者には明らかであろう。そのような同等の構造は、添付の特許請求の範囲に記載されている本発明の精神および範囲から逸脱しないことを当業者は理解すべきである。
【図１】
2021536325.tif 000003
【図２】
2021536325.tif 000004
【図３】
2021536325.tif 000005
【図４】
2021536325.tif 000006
【図５】
2021536325.tif 000007
【図６】
2021536325.tif 000008
【図７】
2021536325.tif 000009
【図８】
2021536325.tif 000010
【国際調査報告】
2021536325.tif 000011